(57)【要約】【課題】  深い深さに潜水するために高い水圧に耐えるように構成している耐水性の携行型時計ケースを提供する。【解決手段】  ダイビングウォッチのための耐水性の携行型時計ケース（１）は、ミドル部（２）の下側に取り付けられた裏部（４）と、及びミドル部（２）の上側に取り付けられた少なくとも１つの風防（３）を備える。風防には、環状周面（１３）があり、ミドル部の上側にある相補的な形状の環状内側面（１２）上にアモルファス金属で作られた環状ガスケットの第１の部分によって取り付けられる。ガスケットの第１の部分上にあるガスケットの第２の部分（５’）が、ミドル部に対して風防を保持する。風防の環状周面が、ケースの平面に垂直な中心軸に対してケースの内側の方へと９０°未満の角度傾斜しており、これによって、潜水時の水圧に起因する応力を風防とミドル部の間で分散させる。環状周面と環状内側面は、テーパー状である。【選択図】  図１ａ
2020183949.tif 000002
【特許請求の範囲】
【請求項１】
特にダイビングウォッチのための、耐水性の携行型時計ケース（１）であって、
当該ケース（１）は、ミドル部（２）の上側に取り付けられた少なくとも１つの風防（３）を備え、
前記風防（３）には、当該携行型時計ケース（１）の環状のガスケット（５、５’）の少なくとも一部を用いて前記ミドル部（２）の上側上の環状内側面（１２）に取り付けられる環状周面（１３）があり、
前記風防（３）の前記環状周面（１３）が、当該ケース（１）の平面に垂直な中心軸に対して当該ケース（１）の内側の方へと９０°未満の所定の角度傾斜しており、これによって、潜水時の水圧に起因する応力を前記風防（３）と前記ミドル部（２）の間で分散させる
ことを特徴とする携行型時計ケース（１）。
【請求項２】
前記環状周面（１３）と前記環状内側面（１２）の間の前記ガスケット（５）の部分は、少なくとも部分的にアモルファスである金属合金によって作られている
ことを特徴とする請求項１に記載の携行型時計ケース（１）。
【請求項３】
前記ミドル部（２）の上側上の前記環状内側面（１２）の形は、前記風防の前記環状周面（１３）に対して相補的な形である
ことを特徴とする請求項１又は２に記載の携行型時計ケース（１）。
【請求項４】
前記ガスケット（５、５’）は、前記風防（３）の前記環状周面（１３）と前記ミドル部（２）の環状内側面（１２）の間にある第１の部分（５）と、及び前記環状内側面（１２）の上の前記ミドル部（２）の前記環状内側壁（２２）と前記環状周面（１３）の上の前記風防（３）の環状外側壁（２３）の間にて接触している第２の部分（５’）とによって構成している
ことを特徴とする請求項３に記載の携行型時計ケース（１）。
【請求項５】
前記環状壁（２２、２３）は、前記中心軸と平行である
ことを特徴とする請求項４に記載の携行型時計ケース（１）。
【請求項６】
前記ガスケットの前記第１の部分（５）は、少なくとも部分的にアモルファスである金属合金によって作られており、
前記ガスケットの第２の部分（５’）は、ポリマーによって作られており、これによって、前記風防（３）を前記ミドル部（２）に固定する
ことを特徴とする請求項４に記載の携行型時計ケース（１）。
【請求項７】
前記ガスケット（５、５’）の少なくとも一部の前記アモルファス金属合金は、主にジルコニウムをベースとしている
ことを特徴とする請求項２〜６のいずれか一項に記載の携行型時計ケース（１）。
【請求項８】
前記ガスケット（５、５’）の少なくとも一部の前記アモルファス金属合金は、主に白金をベースとしている
ことを特徴とする請求項２〜６のいずれか一項に記載の携行型時計ケース（１）。
【請求項９】
前記ガスケット（５、５’）の少なくとも一部の前記アモルファス金属合金は、主にパラジウムをベースとしている
ことを特徴とする請求項２〜６のいずれか一項に記載の携行型時計ケース（１）。
【請求項１０】
前記風防（３）の前記環状周面（１３）及び前記ミドル部（２）の前記環状内側面（１２）は、テーパー状の面であり、
前記ミドル部（２）の前記環状内側壁（２２）及び前記風防（３）の前記環状外側壁（２３）は、円筒状である
ことを特徴とする請求項４に記載の携行型時計ケース（１）。
【請求項１１】
前記風防（３）の前記環状周面（１３）の前記所定の傾斜角度は、前記中心軸に対して４３°±５°のオーダーの角度である
ことを特徴とする請求項１に記載の携行型時計ケース（１）。
【請求項１２】
前記風防（３）の前記環状周面（１３）及び前記ミドル部（２）の前記環状内側面（１２）の前記所定の傾斜角度は、前記中心軸に対して４３°±５°のオーダーの角度である
ことを特徴とする請求項４に記載の携行型時計ケース（１）。
【請求項１３】
前記風防（３）の前記環状周面（１３）には、レーザービームによってエッチングして刻み込み（１０３）を形成するための堆積物（６３）がある
ことを特徴とする請求項１に記載の携行型時計ケース（１）。
【請求項１４】
前記堆積物（６３）の色は、前記固定用ガスケットの第１の部分（５）の色とは異なっており、これによって、当該ケースの外側から前記風防（３）を通して前記刻み込みを見ることができる
ことを特徴とする請求項１３に記載の携行型時計ケース（１）。
【請求項１５】
前記風防（３）の前記環状周面（１３）には、装飾（１０３）を形成するように意図された構造がある
ことを特徴とする請求項１に記載の携行型時計ケース（１）。
【発明の詳細な説明】
【技術分野】
【０００１】
本発明は、耐水性の携行型時計（例、腕時計、懐中時計）のケースに関し、特に、ダイビングウォッチ用のものに関する。
【背景技術】
【０００２】
機械式又は電子式の携行型時計を水中で用いるためには、計時器用ムーブメントやタイムベースの計時器用モジュールを搭載している携行型時計ケースが密封されていなければならない。このために、携行型時計ケースは、ミドル部の第１の側に密封固定される裏部と、第１の側とは反対側のミドル部の第２の側に固定される風防とを備える。携行型時計の裏部、ミドル部及び風防を組み付けるために、パッキンが用いられる。また、携行型時計機能の制御メンバーないし設定メンバーは、待機位置において、ケースのミドル部を貫通するように密封取り付けされている。
【０００３】
潜水中などのときには携行型時計ケース内の圧力が大気圧に近く、携行型時計ケースは、一般的には、携行型時計ケースの高い水圧に耐えるように構成していたり組み付けられたりしていない。伝統的な携行型時計の単純なパッキンでは、非常に深くまで潜水しているときに耐水性が良好であることを確実にするために十分ではない。
【０００４】
スイス特許文献ＣＨ６９０８７０Ａ５には、耐水性の携行型時計ケースが記載されている。この携行型時計ケースは、上側でミドルベゼルに固定された風防と、ミドル部の内ねじにねじ込まれることによって固定される裏部によって構成している。この風防は、円環状の環状パッキンを用いてミドル部に固定され、ミドル部のリムに支えられる。また、裏部の外側リムとミドル部の下面の間にもパッキンが設けられる。また、ねじ山が高い水圧で損傷する可能性があるため、耐久性が高い金属によって作られたドームも設けられる。 このドームは、裏部の内側面、そして、ミドル部の内側縁部に支えられる。しかし、携行型時計ケースがこのように構成していても、非常に深い深さまで潜水しているときにケースの耐水性が良好であることを確実にすることはできていない。 このことは望ましくない。
【０００５】
スイス特許文献ＣＨ３７２６０６は、裏部を囲み風防によって閉じられる中央部ないしミドル部を備える耐水性の携行型時計ケースについて記載している。ねじ山付きリングは、裏部の傾斜した外側面に支えられて裏部を保持し、ミドル部に接続された固定部にねじ込まれる。このような構成では、非常に深い深さまで潜水しているときにケースの良好な耐水性を確実にすることはできない。 このことは望ましくない。
【発明の概要】
【発明が解決しようとする課題】
【０００６】
したがって、本発明は、深い深さに潜水するために高い水圧に耐えるように構成している耐水性の携行型時計ケースを提案することによって、上述の従来技術の課題を解決することを主な目的とする。
【課題を解決するための手段】
【０００７】
このために、本発明は、独立請求項１に記載の特徴を備える耐水性の携行型時計ケースに関する。
【０００８】
従属請求項２〜１５に、耐水性の携行型時計ケースの特定の実施形態が定められている。
【０００９】
この耐水性の携行型時計ケースの利点は、ガスケットを用いて風防がミドル部に固定されていることと、ミドル部と風防の接触面が傾いていることに基づいている。ミドル部が概して円筒状である場合、風防とミドル部に、又はさらにはミドル部の反対側に取り付けられた裏部に、テーパー状の支持面が形成される。このようにして、風防と裏部にかかる圧力の力は、テーパー状の支持面を介してミドル部に伝達される。
【００１０】
結晶の場合、その強度及びそのミドル部とのリンクの耐水性は、ポリマー（例、ポリウレタン）によって作られた固定用ガスケットの第２の部分によって、確実にすることができる。圧力の応力は、ガスケットの第１の部分に伝達される。このガスケットは、ミドル部分よりも優れた機械的特性を有する金属によって形成されている。特に、降伏強度が高く、理想的には、弾性変形が大きい。このガスケットは、アモルファス金属合金によって作られたガスケット、又はミドル部がチタンによって作られている場合はＴＮＴＺ−Ｏ合金（TiNb23Ta0.7Zr2O1.2）によって作られたガスケットであることができる。このことによって、一方で、ミドル部上の応力集中を防ぎ、したがって、ミドル部の可塑化を防ぎ、他方で、風防上の応力集中を防ぎ、したがって、風防の破損及び／又は風防の厚みの減少を防ぐ。金属ガスケットの第１の部分は、風防を組み付ける前にミドル部のテーパー状の支持面上に堆積される構成要素であることができる。したがって、ガスケットの第１の部分は、前の工程（例、熱間加工又は付加的製造による）においてミドル部に堅固に接続されており、風防を組み付けるときにミドル部と一体化された部分を形成することができる。
【００１１】
図面を参照しながら以下の説明を読むことによって、耐水性の携行型時計ケースの目的、利点及び特徴をよく理解することができるであろう。
【図面の簡単な説明】
【００１２】
【図１ａ】図１ａは、本発明に係る耐水性のケースを備える携行型時計の一実施形態の断面図、及び本発明に係るミドル部に対する風防の固定を示している部分的な詳細断面図である。
【図１ｂ】図１ｂは、本発明に係る耐水性のケースを備える携行型時計の一実施形態の断面図、及び本発明に係るミドル部に対する風防の固定を示している部分的な詳細断面図である。
【図２】風防をミドル部に固定するための本発明の一実施形態についての部分詳細断面図である。
【図３】本発明に係る携行型時計ケースの一実施形態を上から見た図である。
【図４ａ】図４ａは、レーザーによってエッチングされて風防をミドル部に取り付けるための面上に刻み込みを形成することができる金属被覆がある風防を示している。
【図４ｂ】図４ｂは、本発明に係る刻み込みがある風防上の金属被覆の一部を示している。
【発明を実施するための形態】
【００１３】
以下において、当業者によく知られている、耐水性の携行型時計、特に、ダイビングウォッチ、のケースの構成要素についてはすべて簡略化した形態でのみ説明している。
【００１４】
図１ａ及び１ｂは、ダイビングウォッチに用いることができる携行型時計ケース１の一実施形態を示している。携行型時計ケース１は、基本的に、ミドル部２の上側に固定されサファイアや鉱物の結晶によって作ることができる風防３を備え、さらに、可能性としては、ミドル部２の下側に取り付けられる裏部４を備える。また、ミドル部２の上側にベゼル７を取り付けることもできる。携行型時計ケース１には、ケーシングサークル８内に計時器用ムーブメント又はモジュール１０が配置されており、ダイビングウォッチの時間、日付又は他の機能を設定するために、ミドル部２上に又はミドル部２を貫通するように、安静位置において密封されるように、少なくとも１つの制御メンバー（図示せず）を取り付けることができる。
【００１５】
携行型時計ケース１の裏部４が設けられる場合、構造が堅固であることが好ましいこの裏部4は、内側のねじ山がある環状リム１４を備えることができ、ミドル部２の下側にあるねじ山２６にねじ込むようにする。裏部４の環状支持面２４は、裏部４をミドル部２に取り付けるときにミドル部２の環状内側面３２と接触する。 これは、支持面２４と相補的な形状である。支持面２４と内側面３２は、携行型時計ケース１の平面に垂直な軸に対して所定の角度傾斜している。概して円筒状であるミドル部の場合、面２４、３２はテーパー状であり、携行型時計ケース１の中心軸に対して所定の角度で携行型時計ケース１の内側の方へと傾いている。このことは、各テーパーの形の頂上が携行型時計ケース１の内側の方向にあることを意味している。また、ミドル部２の下側には、裏部４がミドル部２に取り付けられているときに支持面２４に接触するパッキン６を収容する環状溝１６がある。この環状溝１６の断面は四角形となっており、これによって、裏部4を固定する前にパッキン６が環状溝１６内にて適切に保持されるようにする。チタンのような材料によって作られたミドル部２と裏部４の場合、前記角度は中心軸に対して６０°±５°のオーダーであることができる。このことによって、深い深さまで潜水しているときの水圧に起因する裏部４とミドル部２の間の応力の分布を良好にすることができる。
【００１６】
風防３には、環状周面１３があり、ミドル部２の上側の環状内側面１２上に固定用ガスケット５、５’の少なくとも一部を用いて取り付けられる。環状内側面１２は、環状周面１３に対して相補的な形状であることが好ましい。風防３の環状周面１３は、携行型時計ケース１の平面に垂直な軸に対して９０°未満の所定の角度傾斜している。好ましくは、環状内側面１２は、概して、中心軸に対して環状周面１３と同じ角度で携行型時計ケース１の内側の方に傾斜している。
【００１７】
チタンなどによって作られたミドル部２は概して円筒状であるが、内側周面１３と環状内側面１２は円錐状であり、携行型時計ケースの内側の方に所定の角度傾斜している。このことは、各テーパーの形の頂上が携行型時計ケース１の内側の方向にあることを意味している。面１２及び１３の所定の傾斜角度は、中心軸に対して４３°±５°のオーダーであることができる。このことのおかげで、深い深さまで潜水しているときの水圧に起因する風防３とミドル部２の間の応力の分布をガスケットの第１の部分５を用いて良好にすることができる。ケース１の内側の方に接触面１２、１３が傾いているおかげで、携行型時計ケース１内の圧力と水圧の差によって、接触面１２、１３と固定用ガスケット５、５’の間の隙間をいずれも閉じる傾向が発生する。このことによって、耐水性が良好であることと耐圧力性が確実になる。
【００１８】
この第１の実施形態において、固定用ガスケット５、５’は、好ましくは、アモルファス金属合金によって作られた第１の部分５と、及びポリマー（例、ポリウレタン）によって作られた第２の部分５’とによって構成しており、これによって、風防３をミドル部２とともに保持する。固定用ガスケット５、５’は、ミドル部２上にて風防３を密封して閉じるために環状の形状をしている。概して円筒状であるミドル部２のために、ガスケットの第１の部分５はテーパー状であり、第２の部分５’は第１の部分５の上側縁部に支えられており円筒状である。風防３がミドル部２に入れ込まれると、第１の部分５はミドル部２の傾斜面と風防３の傾斜面をリンクして風防３がこの第１の部分５に支えられ、かつ、第２の部分５’はミドル部２の環状内側壁２２と、及び風防３の環状周面１３の上の風防３の環状外側壁２３との間で圧縮される。第２の部分５’は、ベゼル７のすぐ下の風防３の中間的な高さで止まることができ、かつ、ガスケットの第１の部分５は、風防３の底部とミドル部２の間のリンクの高さレベルよりも下まで延在していることができる。
【００１９】
断面における第１の部分５の長さは、５ｍｍのオーダーであることができ、ガスケット５、５’の第２の部分の高さは、２．５ｍｍのオーダーであることができる。なお、この形態には限定されない。ガスケットの厚みは、０．６５ｍｍのオーダーであることができる。
【００２０】
ガスケットの第１の部分５は、ミドル部２上に風防３を担持するタイプである。このことによって、携行型時計ケース１が水中の深い深さまで沈められたときに、風防３とミドル部２の傾斜面１２、１３が貢献して、また、ガスケットの金属製の第１の部分５によって、風防３とミドル部２の間のいずれの隙間をも閉じることが可能になる。したがって、好ましくはアモルファス金属合金によって作られた、ガスケットの金属製の第１の部分５が貢献して、風防３とミドル部２の間の応力の分布が良好になる。
【００２１】
携行型時計ケース１が水中の浅い深さまで沈められたときには、ガスケットの部分５’が耐水性とミドル部上の風防の強度を確実にする。ケースが水中で深い深さまで沈められるほど、ガスケットの部分５に対して風防が大きく圧縮されるようになり、このガスケット自身が、ミドル部の傾斜面に対して圧縮され、このことによって、ガスケットを劣化してしまうリスクなしで、非常に深い深さにおいても耐水性を確実にすることができる。深い深さでは、ガスケットの部分５’は、ガスケットの部分５の上部を押し、このことによって、押し出しによって部分５’が劣化することを防ぐ。ガスケット５の部分のために、非常に高い機械的性質（特に、降伏強さ、弾性変形）を有する材料を用いることが、その可塑化を防ぎ、かつ、深い深さまでこの携行型時計とともに潜水するときにミドル部に与えられる応力を均等化することを確実にするために、必要である。
【００２２】
例えば、アモルファス金属の固有な機械的性質、特に、その非常に高い降伏強さσe（例、Ｚｒベースの場合に１７００ＭＰａ、Ｐｄベースの場合に１５５０ＭＰａ、Ｐｔベースの場合に１３５０ＭＰａ）、そして、非常に高い弾性変形εe（すべてのアモルファス金属について１．５〜２％）が組み合わさることによって、非常に高い圧力下で応力が与えられたときに、風防３との接触領域におけるガスケット５、５’の可塑化を防ぐことができる。ミドル部２の機械的性質（例、グレード５のチタンの場合、σe：８５０ＭＰａ、εe：０．５〜０．８％）は、ガスケット用に選択されるアモルファス金属のものよりも劣るが、このミドル部２には可塑化しないという性質もある。なぜなら、アモルファス金属によって作られたガスケット５、５’によって応力を均質化することができ、したがって、その応力がガスケット−ミドル部のインタフェースにおいて小さくなるからである。
【００２３】
ガスケット５の製造のために興味深い合金の別の例として、降伏強さが１０００〜２０００ＭＰａであり弾性変形が１〜２％のオーダーであるＴＮＴＺ−Ｏ（ＴｉＮｂ２３Ｔａ０．７Ｚｒ２Ｏ１．２）のタイプの合金がある。
【００２４】
情報として、アモルファス金属によって作られたガスケットの第１の部分５の製造は、以下のような異なる成形方法によって行うことができる。
−  溶融金属から直接製造する方法である。  例えば、圧力注入、重力鋳造、遠心鋳造、抗重力鋳造、吸引鋳造、付加的粉末製造の方法である。
−  ガラス転移温度よりも高い温度での熱変形によってアモルファスプレフォームから製造する方法である。 例えば、電磁成形、容量性放電による成形、ガス圧下での成形、機械的成形の方法である。このステップの目的は、適切な機械的特性を得るために、正しい寸法を有し十分な割合のアモルファス相を含有するプレフォームを得ることである。
【００２５】
なお、ミドル部２の環状内側面１２は、携行型時計ケース１の内側の方へと傾斜しており、環状内側面１２の後に約３°内側に曲がった面１２’で終わっている。したがって、ガスケットの第１の部分５は、この曲がった表面１２’と直接接触しなくなっている。一方、潜水時に水圧が大きく増加すると、ガスケットの第１の部分５は風防３によって内側の方に押されて、曲がった面１２’と接触ないし一致するようになる。したがって、このことによって、風防３の内側の角の圧力がガスケットの第１の部分５において応力を集中させてガスケットを破壊してしまうことを防ぐことができる。
【００２６】
いくつかのタイプのアモルファス金属合金を用いて、固定用ガスケットの第１の部分５を作ることができる。アモルファス金属合金は、ジルコニウムによって主に構成していることが多い。ジルコニウムベースのアモルファス金属合金は、Ｚｒ（５２．５％）、Ｃｕ（１７．６％）、Ｎｉ（１４．９％）、Ａｌ（１０％）及びＴｉ（５％）によって構成していることができる。また、ジルコニウムベースのアモルファス金属合金は、Ｚｒ（５８．５％）、Ｃｕ（１５．６％）、Ｎｉ（１２．８％）、Ａｌ（１０．３％）及びＮｂ（２．８％）を含有することができる。また、ジルコニウムベースのアモルファス金属合金は、Ｚｒ（４４％）、Ｔｉ（１１％）、Ｃｕ（９．８％）、Ｎｉ（１０．２％）及びＢｅ（２５％）を含有することができ、あるいは最後に、Ｚｒ（５８％）、Ｃｕ（２２％）、Ｆｅ（８％）及びＡｌ（１２％）を含有することができる。また、ガスケットの第１の部分は、主に白金（Ｐｔ）によって構成しているアモルファス金属合金によって作ることもできる。白金ベースのアモルファス金属合金は、Ｐｔ（５７．５％）、Ｃｕ（１４．７％）、Ｎｉ（５．３％）及びＰ（２２．５％）を含有することができる。また、主にパラジウム（Ｐｄ）をベースとするアモルファス金属合金のガスケットの第１の部分を作ることも可能である。
【００２７】
また、以下のような他のアモルファス金属合金についても言及することができる。チタンベースのアモルファス金属合金は、Ｔｉ（４１．５％）、Ｚｒ（１０％）、Ｃｕ（３５％）、Ｐｄ（１１％）及びＳｎ（２．５％）を含有することができる。パラジウムベースのアモルファス金属合金は、Ｐｄ（４３％）、Ｃｕ（２７％）、Ｎｉ（１０％）及びＰ（２０％）を含有することができ、あるいはＰｄ（７７％）、Ｃｕ（６％）及びＳｉ（１６．５％）を含有することができ、あるいは最後に、Ｐｄ（７９％）、Ｃｕ（６％）、Ｓｉ（１０％）及びＰ（５％）を含有することができる。ニッケルベースのアモルファス金属合金は、Ｎｉ（５３％）、Ｎｂ（２０％）、Ｔｉ（１０％）、Ｚｒ（８％）、Ｃｏ（６％）及びＣｕ（３％）を含有することができ、あるいはＮｉ（６７％）、Ｃｒ（６％）、Ｆｅ（４％）、Ｓｉ（７％）、Ｃ（０．２５％）及びＢ（１５．７５％）を含有することができ、あるいは最後に、Ｎｉ（６０％）、Ｐｄ（２０％）、Ｐ（１７％）及びＢ（３％）を含有することができる。鉄ベースのアモルファス金属合金は、Ｆｅ（４５％）、Ｃｒ（２０％）、Ｍｏ（１４％）、Ｃ（１５％）及びＢ（６％）を含有することができ、あるいはＦｅ（５６％）、Ｃｏ（７％）、Ｎｉ（７％）、Ｚｒ（８％）、Ｎｂ（２％）及びＢ（２０％）を含有することができる。金ベースのアモルファス金属合金は、Ａｕ（４９％）、Ａｇ（５％）、Ｐｄ（２．３％）、Ｃｕ（２６．９％）及びＳｉ（１６．３％）を含有することができる。
【００２８】
図２は、風防３をミドル部２に固定するための一実施形態における部分詳細断面図を示している。風防３には、環状周面１３があり、ミドル部２の上側の環状内側面１２上に固定用ガスケットの第１の部分を用いて取り付けられる。ミドル部２は全体として円筒状であるが、風防３の内側周面１３はテーパー状であり、ミドル部２の内側周面１２は携行型時計ケース１の平面内にありディスクの一部の形状となっている。少なくとも部分的にアモルファスである金属合金によって作られているガスケットの第１の部分５は、内側周面１３と環状内側面１２の間にあり、ポリマーによって作られているガスケットの第２の部分他の５’は、ミドル部２の環状内側壁２２と風防３の環状外側壁２３の間にある。
【００２９】
図３は、携行型時計ケース１の一実施形態を上から見た図である。この携行型時計ケース１は、ミドル部２と、風防３と、ベゼル７と、及びミドル部２を貫通するステム−リュウズの形態である制御メンバー９とを備える。ステム−リュウズには、安静位置にてミドル部２のテーパー状の内側面と接触するテーパー状の面（図示せず）があり、これによって、水密密封性及び潜水中に水圧に耐える能力を確実にする。風防３の環状周面１３と固定用ガスケットの第１の部分の間の接続部に、単語、数字又は絵柄の刻み込み１０３が形成される。
【００３０】
図４ａ及び４ｂに示しているように、刻み込み１０３を形成するために、風防３の構造化接触面を設けること、及び／又は装飾層を風防３の面上に堆積させることもできる。この構造化及び／又は堆積物６３は、風防３の環状周面１３上に堆積させることができる。また、レーザーデバイス５０から発するレーザービームＬを用いて堆積物６３をエッチングすることによって、一又は複数の単語、数字又は絵柄を書き込むこともできる。堆積物６３は、固定用ガスケットの第１の部分の色とは異なる色を有することができる。この結果、堆積物６３上にて刻み込み１０３をエッチングした後、堆積物６３の色とは異なる色を有する固定用ガスケットの第１の部分上に風防３の環状周面１３を配置したり固定したりすることができる。
【００３１】
また、風防３の面を選択的に構造化することによって、風防３の接触面上にパターンを形成することもできる。この面は、例えば、レーザー、化学的方法によって、又はさらには機械的方法（例、研削又はミリング）によって、構造化することができる。このようにして、風防３をミドル部２に固定した後には、形成した刻み込みを風防３を通して読むことができる。
【００３２】
この刻み込みは、携行型時計のブランドを示すこともできる。なお、上述したガスケットの第２の部分５’を用いてミドル部２に風防３を固定すること、及びガスケットの第１の部分５を用いる風防３とミドル部２の間のテーパー状の面の接触によって、風防３とミドル部２の間の完璧な耐水性及び良好な応力分布を確実にすることができる。このことは、携行型時計が深い深さの水の中において内部の圧力と水圧との間の圧力差に起因する高い応力に耐えなければならないために必要である。このテーパー状の形のためにミドル部２、ガスケット５、５及び風防３の間の接触面が非常に大きいため、より広い面積にわたって応力伝達が良好に行われる。このことは、深くまで潜水しているときに、携行型時計の耐水性を確実にするために重要である。この構成によって、携行型時計ケース上に与えられる水圧は、接触面の間のいずれの隙間をも閉じようとする。また、このことによって、固定用ガスケットの押し出しを防ぐ。
【００３３】
以上の説明から、当業者であれば、請求の範囲において定められた本発明の範囲から逸脱することなく、携行型時計ケースのいくつかの代替的な実施形態を設計することができる。携行型時計ケースのミドル部の全体的な形は、円筒状ではない形であることができる。
【符号の説明】
【００３４】
１  携行型時計ケース
２  ミドル部
３  風防
５  ガスケットの第１の部分
５’  ガスケットの第２の部分
１０  計時器用ムーブメント
１２  環状内側面
１３  環状周面
２２  環状内側壁
２３  環状外側壁
６３  堆積物
１０３  装飾
【図１ａ】
2020183949.tif 000003
【図１ｂ】
2020183949.tif 000004
【図２】
2020183949.tif 000005
【図３】
2020183949.tif 000006
【図４ａ】
2020183949.tif 000007
【図４ｂ】
2020183949.tif 000008
【外国語明細書】
2020183949000001.pdf